(57)【要約】【課題】宛先入力によって省エネモード実行を解除させたとき、入力された宛先を正確に認識できる通信装置を提供する。【解決手段】宛先入力キーの操作によって、省エネモードの実行の解除、宛先の入力がなされ、その後、通信の開始指示がされたときには、入力された宛先を表示して、その宛先の確認を促す。【選択図】図１
2004032180.tif 000002
【特許請求の範囲】
【請求項１】
省エネモード機能を備えており、省エネモード解除キーとして使用できる宛先入力キーを備える通信装置において、上記宛先入力キーの操作によって、上記省エネモードの実行の解除、宛先の入力がなされ、その後、通信の開始指示がされたときには、入力された宛先を表示して、その宛先の確認を促すことを特徴とした通信装置。
【請求項２】
請求項１において、
上記省エネモードの解除から、上記通信開始指示が所定時間以内の場合には、その宛先の確認を促すために、上記入力された宛先を表示することを特徴とした通信装置。
【請求項３】
請求項１または請求項２において、
上記省エネモードの解除から、上記宛先の入力までが所定時間以内の場合には、その宛先の確認を促すために、上記入力された宛先を表示することを特徴とした通信装置。
【発明の詳細な説明】
【０００１】
【発明の属する技術分野】
省エネモード機能を備えており、省エネモード解除キーとして使用できる宛先入力キーを備える通信装置に関する。
【０００２】
【従来の技術】
従来より、ファクシミリ装置などの通信装置が広く使用されており、省エネルギー化の観点より、省エネモード機能を備えているものが存在する。
【０００３】
このものでは、省エネモード機能実行中には、電源消費の激しい印字機構に対する通電を遮断し、制御機構のみに通電をしておくことによって、コピー処理などのユーザによる機能指示、ファクシミリ受信などに対して待機している。
【０００４】
ここで、省エネモードの実行は、いずれかの操作キーの操作によって解除されるようになっている。この場合において、ユーザがファクシミリ送信指示をするとき、いずれかのキーを操作してから宛先を入力するという操作が面倒なことがあることから、いきなり宛先入力操作において省エネモードの解除をさせたい場合がある。
【０００５】
【発明が解決しようとする課題】
このような場合、最初の宛先入力操作を、省エネモード解除指示と認識するため、入力された宛先が正しく認識されず、誤ダイヤルの原因となっていた。
【０００６】
そこで、このような問題を解決すべく、宛先入力によって省エネモード実行を解除させたとき、入力された宛先を正確に認識できる通信装置を提供することを目的としている。
【０００７】
【課題を解決するための手段】
上記目的を達成するために、本発明の請求項１に記載の通信装置では、宛先入力キーの操作によって、省エネモードの実行の解除、宛先の入力がなされ、その後、通信の開始指示がされたときには、入力された宛先を表示して、その宛先の確認を促す。
【０００８】
請求項２に記載の通信装置では、省エネモードの解除から、通信開始指示が所定時間以内の場合には、その宛先の確認を促すために、入力された宛先を表示する。
【０００９】
請求項３に記載の通信装置では、省エネモードの解除から、宛先の入力までが所定時間以内の場合には、その宛先の確認を促すために、入力された宛先を表示する。
【００１０】
【発明の実施の形態】
以下に、本発明の実施の形態について、図面とともに説明する。
【００１１】
図１は、本発明の通信装置の要部構成の一例を示す図である。なお、ここでは、通信装置としてファクシミリ装置Ｆの構成を示しているが、本発明はこの例に限られず、各種機能を実行でき、インターネットなどの通信ネットワークに接続可能な装置であれば何を用いてもよい。
【００１２】
このファクシミリ装置Ｆは、ＣＰＵなどで構成され、以下の各部を制御する主制御部１と、電話回線Ｌに対する接続制御をするＮＣＵ２と、ファクシミリ通信に必要な各種信号を変復調するモデム３と、画像データを一時記憶する画像メモリ４と、短縮ダイヤルなどを記憶するＲＡＭ５と、このファクシミリ装置Ｆが動作するために必要な各種プログラムなどを記憶するＲＯＭ６と、液晶画面などで構成される表示部７と、各種操作キーなどで構成される操作部８と、セットされた原稿を読み取り画像データを形成する読取部９と、セットされた記録紙に画像データを記録する記録部１０とを備える。
【００１３】
なお、Ｎはインターネットを示しており、通信ネットワークを構成している。通信ネットワークとしては、インターネットの他、あらゆるものが使用できる。
【００１４】
このファクシミリ装置Ｆは、以下の処理をすることに特徴がある。これについて、図２のフローチャートとともに説明する。
【００１５】
すなわち、このファクシミリ装置Ｆでは、省エネモード実行中に、操作部１１のいずれかのキー操作があれば（１００）、実行中の省エネモードを解除し（１０１，１０２）、タイマーによる計時を開始する（１０３）。なお、このタイマーは、ここではＭＰＵ１内に内蔵されている。このようなタイマーはＭＰＵ１とは別途に設けてもよい。
【００１６】
このとき、ステップ１００におけるキー操作がテンキー操作であり（１０４）、宛先（ここではファクシミリ番号）が入力され、スタートキー（不図示）が操作されたときには（１０６）、タイマーによる計時を停止する（１０７）。
【００１７】
そして、その計時が所定時間内ならば（１０８）、入力された宛先が正しいかどうかをユーザに確認させるため、例えば、「ダイヤル番号を確認してください」といった表示をする（１０９）。そして、再度スタートキーが操作されれば（１１０）、入力された宛先を発呼する（１１１）。
【００１８】
ここで、ユーザがステップ１０９における表示をみて、表示されている宛先が誤りと確認すれば、その入力をやり直すことができる。
【００１９】
また、ステップ１０９における表示がなされている際に、ユーザが通信するのをやめようと思えば、そのときは、ストップキー（不図示）を操作する。こうすれば、指示されたファクシミリ送信が無効となる。
【００２０】
一方、ステップ１０１におけるキー操作がテンキー操作でなくワンタッチキー操作であるときにも（１１３、１１４）、スタートキーを操作すれば（１１５）、タイマーによる計時を停止する（１１６）。
【００２１】
このとき、その計時が所定時間内ならば（１１７）、入力された宛先が正しいかどうかをユーザに確認させるため、例えば、「ワンタッチ宛先を確認してください」といった表示をする（１１８）。そして、再度スタートキーが操作されれば（１１９）、そのワンタッチキーに登録されている宛先を発呼する（１２０）。
【００２２】
【発明の効果】
以上説明したように、本発明の請求項１に記載の通信装置では、宛先入力キーの操作によって、省エネモードの実行の解除、宛先の入力がなされ、その後、通信の開始指示がされたときには、入力された宛先を表示して、その宛先の確認を促すので、宛先入力によって省エネモード実行を解除させたとき、入力された宛先をユーザが確認でき、誤っている場合には宛先を入力しなおすことによって、装置が正確に宛先を認識することができる。
【００２３】
請求項２に記載の通信装置では、省エネモードの解除から、通信開始指示が所定時間以内の場合には、その宛先の確認を促すために、入力された宛先を表示するので、宛先入力によって省エネモードが解除されたものと判断して、その場合における入力宛先が正しいかどうかを、通信開示をするまでに確認させることができる。
【００２４】
また、請求項３に記載の通信装置では、省エネモードの解除から、宛先の入力までが所定時間以内の場合には、その宛先の確認を促すために、入力された宛先を表示するので、請求項２と同様に、宛先入力によって省エネモードが解除されたものと判断して、その場合における入力宛先が正しいかどうかを、通信開示をするまでに確認させることができる。
【図面の簡単な説明】
【図１】本発明の通信装置の要部構成の一例を示す図である。
【図２】通信装置の動作について説明するためのフローチャートである。
【符号の説明】
Ｆ・・・ファクシミリ装置
１・・・ＭＰＵ
１１・・・操作部
【図１】
2004032180.tif 000003
【図２】
2004032180.tif 000004